(57)【要約】【課題】エレベータホールでかごを待つ利用客に対して、そのエレベータホールをかごが通過する条件のときに、そのかごの通過を予め利用客に案内して利用客の不快感、不満感を軽減し、利用客に対するサービス性を高めることができるエレベータの情報案内装置を提供する。【解決手段】３階床以上の建屋の中間階の各エレベータホールにおいて、かごの位置及び移動方向を表示するかご位置表示パネル７と、かごを当該階に呼ぶ呼び登録を行なうためのかご呼びボタン６ａ，６ｂと、かご呼びボタン６ａ，６ｂで当該階に対するかご呼びが登録されている状態のもとで、かごが当該階を通過する状況にあるときに、当該階で待つエレベータ利用客に対してその通過を案内する案内パネル８とを備える。エレベータホールでかごを待つ利用客は、案内パネル８を見ることでかごの通過を予め知ることができる。【選択図】    図２
2012162389.tif 000002
【特許請求の範囲】
【請求項１】
３階床以上の建屋の中間階の各エレベータホールにおいて、
かごの位置及び移動方向を表示するかご位置表示手段と、かごを当該階に呼ぶ呼び登録を行なうためのかご呼び登録手段と、
前記かご呼び登録手段で当該階に対するかご呼びが登録されている状態のもとで、かごが当該階を通過する状況にあるときに、当該階で待つエレベータ利用客に対してその通過の情報を案内する案内手段と、
が設けられていることを特徴とするエレベータの情報案内装置。
【請求項２】
前記案内手段は、前記かごが有するかご操作盤に設けられた液晶表示式の案内パネルを含み、その案内パネルにかごの通過を文字で表示して案内することを特徴とする請求項１に記載のエレベータの情報案内装置。
【発明の詳細な説明】
【技術分野】
【０００１】
この発明の実施形態は、エレベータのかごの運行情報をエレベータホールで待つ利用客に案内するエレベータの情報案内装置に関する。
【背景技術】
【０００２】
エレベータが設置された建屋の各階のエレベータホールにはそれぞれホール操作盤が設けられている。各ホール操作盤には、かご呼びボタンやかご位置表示パネルなどが設けられている。
【０００３】
各階のエレベータホールにおいて、エレベータの利用客がかご呼びボタンを押すと、その信号がエレベータの運行を制御する制御盤に送られ、かご呼びが登録され、かごが当該階に向って移動するように制御される。かごの現在位置及び上下移動方向はホール操作盤のかご位置表示パネルに逐次表示される。
【０００４】
建屋の最下階のホール操作盤には、上行用のかご呼びボタンが、最上階のホール操作盤には下行用のかご呼びボタンが、中間階の各ホール操作盤には上行用と下行用のかご呼びボタンがそれぞれ設けられている。
【０００５】
３階床以上の建屋における中間階のエレベータホールにおいて、利用客が上階側を行先の目的階とするときには、上行用のかご呼びボタンを押し、下階側を目的階とするときには、下行用のかご呼びボタンを押す。
【０００６】
一方、かごにはかご操作盤が設けられ、このかご操作盤に建屋の各階に対応する複数の行先階ボタン及びドア開閉ボタンなどが設けられている。かごに乗った利用客が目的階の行先階ボタンを押すと、その信号が制御盤に送られ、行先階が登録され、かごが目的の行先階に向って移動するように制御される。
【先行技術文献】
【特許文献】
【０００７】
【特許文献１】特開２００９−２８０３２３号公報
【発明の概要】
【発明が解決しようとする課題】
【０００８】
ところで、中間のｎ階のエレベータホールで利用客が例えば上行用のかご呼びボタンを押し、かごの到着を待つ状況のときおいて、かごがｎ階に向って下降移動する状態で、かつかごの行先階登録がｎ階でないときには、かごがｎ階に到達しても、そのｎ階では停止せずに、ｎ階を通過する。
【０００９】
また、逆に、下行用のかご呼びボタンを押し、かごの到着を待つ状況のときにおいて、かごがｎ階に向って上昇移動する状態で、かつかごの行先階登録がｎ階でないときには、かごがｎ階に到達しても、そのｎ階では停止せずに、ｎ階を通過する。
【００１０】
さらに、中間のｎ階のエレベータホールで利用客が上行用のかご呼びボタンを押し、かごの到着を待つ状況のもとにおいて、ｎ階に向って移動するかごの行先階登録がｎ階でなく、かつかごに定員に達する人数の利用客が乗っているときには、かごがｎ階に到達しても、そのｎ階では停止せずに、ｎ階を通過する。これらの制御は制御盤の制御回路により実行される。
【００１１】
各階のエレベータホールでのかごの移動状況は、その階のホール操作盤のかご位置表示パネルに逐次表示される。したがって例えばｎ階でかご呼びボタンを押し、かごの到着を待つ利用客は、かご位置表示パネルを見ることで、かごの到着時間を予測する。
【００１２】
ところが、上述したようなかごが通過する条件のもとでは、ｎ階のかご呼びボタンを押してあるにもかかわらず、かごがｎ階に到達してもかごが停止せず、そのままｎ階を通過してしまい、利用客にとっては期待した予測が外れ、不快感、不満感をいだくこととなり、利用客に対するサービス性が低下する。
【００１３】
この発明の実施形態は、このような課題に着目し、エレベータホールでかごを待つ利用客に対して、そのエレベータホールをかごが通過する条件のときに、そのかごの通過を予め利用客に案内して利用客の不快感、不満感を軽減し、利用客に対するサービス性を高めることができるエレベータの情報案内装置をしようとするものである。
【課題を解決するための手段】
【００１４】
このような課題を解決するために、請求項１の発明は、３階床以上の建屋の中間階の各エレベータホールにおいて、かごの位置及び移動方向を表示するかご位置表示手段と、かごを当該階に呼ぶ呼び登録を行なうためのかご呼び登録手段と、前記かご呼び登録手段で当該階に対するかご呼びが登録されている状態のもとで、かごが当該階を通過する状況にあるときに、当該階で待つエレベータ利用客に対してその通過の情報を案内する案内手段とが設けられていることを特徴としている。
【００１５】
請求項２の発明は、前記案内手段が、前記かごが有するかご操作盤に設けられた液晶表示式の案内パネルを含み、その案内パネルにかごの通過を文字で表示して案内することを特徴としている。
【図面の簡単な説明】
【００１６】
【図１】この発明の一実施形態を示すエレベータホールの外観斜視図。
【図２】そのエレベータホールのホール操作盤の拡大正面図。
【図３】そのエレベータのかごの内部を後部から前方側に向って見たときの外観斜視図。
【図４】この発明の一実施形態の制御回路の構成を示すブロック図。
【図５】この発明の一実施形態の作用の流れを示すフローチャート。
【発明を実施するための形態】
【００１７】
以下、この発明の実施の形態について図面を参照して説明する。
【００１８】
図１には、建屋の中間階のエレベータホール１の外観図を示してある。このエレベータホール１の壁面には乗降口２が設けられ、この乗降口２にホールドア３が設置され、このホールドア３により乗降口２が開閉される。
【００１９】
乗降口２の脇にはホール操作盤５が設けられ、このホール操作盤５にかご呼び登録手段として、上行用のかご呼びボタン６ａ、下行用のかご呼びボタン６ｂが、かご位置表示手段としてかご位置表示パネル７が、かごの通過を案内する案内手段として案内パネル８が、音声報知手段としてスピーカー９がそれぞれ配設されている。かご位置表示パネル７、及び案内パネル８は例えば液晶表示パネルからなる。図２にはホール操作盤５を拡大して示してある。
【００２０】
図３には、かご１２の内部を後部から前方側に向って見たときの外観図を示してある。かご１２の前面には出入口１３が設けられ、この出入口１３の前面側にかごドア１４が設置され、このかごドア１４により出入口１３が開閉される。
【００２１】
出入口１３の脇にはかご操作盤１６が設けられ、このかご操作盤１６に建屋の階床数に応じる複数の行先階ボタン１７、ドア開閉ボタン１８、非常通報ボタン１９が配設されている。
【００２２】
また、このかご１２には、かご１２に乗る利用客の荷重を検出し、利用客数が定員に達するときの荷重を検出したときに満定員としての信号を出力する荷重センサ２０が設けられている。
【００２３】
図４に示すように、ホール操作盤５のかご呼びボタン６ａ，６ｂ、かご操作盤１６の各行先階ボタン１７、及び荷重センサ２０は、かご１２の運行を制御する制御手段としての制御盤２４にそれぞれ接続され、そのかご呼びボタン６ａ，６ｂの操作に応じるかご呼びの情報、各行先階ボタン１７の操作に応じる行先階の情報、及び荷重センサ２０の検出情報が制御盤２４にそれぞれ登録され、その各情報に基づいて、かご１２を駆動する巻上機２５、ホール操作盤５のかご位置表示パネル７及び案内パネル８が制御されるようになっている。
【００２４】
次に作用について、図５に示すフローチャートを参照して説明する。
【００２５】
このフローチャートは、中間階のｎ階を対象とするときの作用の流れであり、まずｎ階のエレベータホール１でのかご呼びの操作に基づくかご呼びの登録があるかが判定される（Ｓ１）。次に、現在のかご１２の移動方向がｎ階に向って上昇する方向であるかが判定され（Ｓ２）、上昇する方向であるときには、Ｓ１ステップでのかご呼び登録が上行の呼びであるかが判定される（Ｓ３）。
【００２６】
上行の呼びであるときには、かご操作盤１６による行先階登録があるかが判定され（Ｓ４）、登録があるときには、さらにその登録のなかにｎ階が含まれているかが判定される（Ｓ５）。Ｓ５ステップでｎ階が含まれていないと判定されたときには、荷重センサ２０の信号に基づいてかご１２内が満定員であるかが判定され（Ｓ６）、満定員であるときには、ｎ階の案内パネル８に図２に示すように、『通過』の文字を点灯表示し（Ｓ７）、ｎ階で待つ利用客にかご１２が停止せずに通過することを案内する。そしてかご１２はｎ階を通過する（Ｓ８）。
【００２７】
Ｓ５ステップにおいて、行先階登録のなかにｎ階が含まれていると判定されたときには、ｎ階の案内パネル８に『通過』を表示しない通過非表示（Ｓ１９）とし、かご１２をｎ階に停止させる（Ｓ１０）。これに応じてｎ階での利用客の乗り降りが行なわれる。そして利用客の乗り降りが終了した後にかご１２が次に目的階に向って移動する（Ｓ１１）。
【００２８】
Ｓ６ステップにおいて、かご１２内が満定員でないと判定されたときには、ｎ階の案内パネル８に『通過』を表示しない通過非表示（Ｓ９）とし、かご１２をｎ階に停止させる（Ｓ１０）。これに応じてｎ階での利用客の乗り降りが行なわれ、その終了後にかご１２が次に目的階に向って移動する（Ｓ１１）。
【００２９】
Ｓ２ステップにおいて、かご１２の移動方向がｎ階に向って上昇する方向ではなく、ｎ階に向って下降する方向であると判定されたときには、次にＳ１ステップでのかご呼び登録が下行の呼びであるかが判定される（Ｓ１２）。そして下行の呼びであると判定されたときには、Ｓ４ステップ以降に進み、下行の呼びでないと判定されたときには、Ｓ７ステップに進み、ｎ階の案内パネル８に『通過』を点灯表示し（Ｓ７）、ｎ階で待つ利用客にかご１２が停止せずに通過することを案内する。そしてかご１２はｎ階を通過する（Ｓ８）。
【００３０】
Ｓ３ステップにおいて、Ｓ１ステップでのかご呼び登録が上行の呼びでなく、下行の呼びであると判定されたときには、Ｓ７ステップに進み、ｎ階の案内パネル８に『通過』を点灯表示し（Ｓ７）、ｎ階で待つ利用客にかご１２が停止せずに通過することを案内する。そしてかご１２はｎ階を通過する（Ｓ８）。
【００３１】
このような処理がエレベータの中間階の各階を対象にして行なわれる。なお、最下階及び最上階においては、かご１２が通過するということはなく、かご呼びボタンの操作に応じてかごがその最下階あるいは最上階に到着して停止する。
【００３２】
このように、中間階のエレベータホール１においてかご呼びボタン６ａ又は６ｂを操作してかご１２の到着を待つ状況のもとで、かご１２がそのエレベータホール１を通過するときには、その通過が案内パネル８を介して予め利用客に案内され、したがって利用客の不快感、不満感を軽減でき、利用客に対するサービス性を高めることができる。
【００３３】
なお、前記実施形態では、案内パネル８に『通過』を表示し、視覚を通してエレベータの利用客に通過を案内するようにしたが、スピーカー９を通して自動音声で通過を案内してもよく、またその音声による案内と併せて、案内パネル８に『通過』を表示して聴覚と視覚とで案内するような場合であってもよい。
【００３４】
さらに、前記実施形態では、かご１２が通過せずに停止するときには、案内パネル８に『通過』を表示しない通過非表示（Ｓ９）としが、その通過非表示に代えて案内パネル８に例えば『停止』を表示するようにしてもよい。
【００３５】
以上において説明したこの発明の実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３６】
１…エレベータホール
５…ホール操作盤
６ａ．６ｂ…かご呼びボタン
７…かご位置表示パネル
８…案内パネル
１２…かご
１６…かご操作盤
１７…行先階ボタン
２０…荷重センサ
２４…制御盤
【図１】
2012162389.tif 000003
【図２】
2012162389.tif 000004
【図３】
2012162389.tif 000005
【図４】
2012162389.tif 000006
【図５】
2012162389.tif 000007